【手続補正書】
【提出日】平成26年6月30日(2014.6.30)
【手続補正１】
【補正対象書類名】明細書
【補正対象項目名】０１１８
【補正方法】変更
【補正の内容】
【０１１８】
以上に本発明の好ましい実施形態の一部を説明し、具体的に例示してきたが、このような実施形態に本発明が限定されることを意図したものではない。以下の特許請求の範囲に記載されるような本発明の範囲および意図から逸脱することなく種々の修正を行うことができる。
以下に本発明の態様を示す。
１．１つ以上の剛性シート、１つ以上の別のポリマー中間層シート、または１つ以上のフィルム層に積層された少なくとも１つの中間層シートを含む安全積層体であって；前記少なくとも１つの中間層シートは、エチレンコポリマー組成物を含み；前記エチレンコポリマー組成物は、エチレンコポリマー１とエチレンコポリマー２とのブレンドを含み；
前記エチレンコポリマー１は、エチレンの共重合単位と、場合により最大約４０重量％の式ＣＨ2＝Ｃ（Ｒ1）ＣＯ2Ｒ2で表される第１のオレフィンの共重合単位と、最大約３０重量％の式ＣＨ2＝Ｃ（Ｒ3）ＣＯＯＨで表される第２のオレフィンの共重合単位とから本質的になり、前記第１のオレフィンおよび前記第２のオレフィンの共重合単位の重量パーセント値は、前記エチレンコポリマー１の全重量を基準としており；前記第２のオレフィンのカルボン酸基の少なくとも一部は中和されてカルボン酸塩を形成してもよく；Ｒ1は水素またはアルキル基を表し、Ｒ2はアルキル基を表し、Ｒ3は水素またはアルキル基を表し；
前記エチレンコポリマー２は、エチレンの共重合単位と、場合により最大約４０重量％の前記第１のオレフィンの共重合単位と、最大約１５重量％の式ＣＨ2＝Ｃ（Ｒ4）−Ｄで表される第３のオレフィンの共重合単位とから本質的になり、前記第１のオレフィンおよび前記第３のオレフィンの共重合単位の重量パーセント値は、前記エチレンコポリマー２の全重量を基準としており；Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基含有部分を表し、Ｒ6はアルキレン基を表し；
但し、エチレンコポリマー１とエチレンコポリマー２との前記ブレンド中、前記第１、第２、または第３のオレフィンはいずれも、ジカルボン酸、または前記ジカルボン酸のジエステル、モノエステル、および無水物ではない、安全積層体。
２．エチレンコポリマー１とエチレンコポリマー２との前記ブレンドの架橋生成物を含む、上記１に記載の安全積層体。
３．前記ブレンドがエチレンコポリマー１のアイオノマーを含む、上記２に記載の安全積層体。
４．前記エチレンコポリマー１のアイオノマーが、ナトリウム陽イオンから本質的になる陽イオンを含む、上記３に記載の安全積層体。
５．前記エチレンコポリマー１のアイオノマーが、亜鉛陽イオンから本質的になる陽イオンを含む、上記３に記載の安全積層体。
６．前記エチレンコポリマー組成物が、前記エチレンコポリマー組成物の全重量を基準として約１０〜約９０重量％のエチレンコポリマー１と約９０〜約１０重量％のエチレンコポリマー２とを含む、上記１に記載の安全積層体。
７．前記剛性シートが、ＡＳＴＭ  Ｄ６３８に準拠して測定される弾性率が約６９０ＭＰａ以上である材料を含み、前記材料が、ガラス、金属、セラミック、およびポリマーからなる群から選択される、上記１に記載の安全積層体。
８．前記フィルム層が、金属フィルムであるか、または、ポリエステル類、ポリカーボネート類、ポリオレフィン類、ノルボルネンポリマー類、ポリスチレン類、スチレン−アクリレートコポリマー類、アクリロニトリル−スチレンコポリマー類、ポリスルホン類、ポリアミド類、ポリウレタン類、アクリルポリマー類、酢酸セルロース類、セロハン類、塩化ビニルポリマー類、およびフルオロポリマー類からなる群から選択される１種類以上の材料を含むポリマーフィルムである、上記１に記載の安全積層体。
９．１つ以上の別のポリマー中間層シートをさらに含み、前記１つ以上の別のポリマー中間層シートが、ポリ（ビニルアセタール）類、ポリ（塩化ビニル）類、ポリウレタン類、エチレン／酢酸ビニルコポリマー類、酸コポリマー類、およびアイオノマー類からなる群から選択される１種類以上の材料を含む、上記１に記載の安全積層体。
１０．前記エチレンコポリマー組成物を含む前記少なくとも１つの中間層シートが２つのガラスシートの間に積層される、上記１に記載の安全積層体。
１１．前記エチレンコポリマー組成物を含む前記少なくとも１つの中間層シートが、ガラスシートと、前記中間層シートとは反対側の表面上に耐摩耗性ハードコートがコーティングされたポリエステルフィルムとの間に積層される、上記１に記載の安全積層体。
１２．ｎ層の剛性シートまたはフィルム層と、（ｎ−１）層のポリマー中間層シートとを含み、（ａ）隣接する前記剛性シートまたはフィルム層の組のそれぞれの間には、１つの前記ポリマー中間層シートが存在し；（ｂ）前記（ｎ−１）層のポリマー中間層シートの少なくとも１つが前記エチレンコポリマー組成物を含み、（ｃ）ｎが整数であり、２＜ｎ＜１０である、上記１に記載の安全積層体。
１３．衝撃力に遭遇する衝撃ゾーンと、前記剥離ゾーンに強固に接着され、前記衝撃力とは反対側の面である剥離抵抗ゾーンとを含み、（Ａ）前記衝撃ゾーンが前記ｎ層の剛性シートおよび前記（ｎ−１）層のポリマー中間層シートから形成され；（Ｂ）前記剥離抵抗ゾーンが、追加のポリマーシートおよび追加のフィルム層から形成され、前記追加のポリマーシートの第１の表面が前記衝撃ゾーンに強固に接着され、前記ポリマーシートの第２の表面が前記追加のポリマーフィルムに強固に接着される、上記１２に記載の安全積層体。
１４．Ａ）前記ｎ層の剛性シートのそれぞれがガラスシートであり；（Ｂ）前記（ｎ−１）層のポリマー中間層シートのそれぞれが前記エチレンコポリマー組成物を含み；（Ｃ）前記追加のポリマー中間層シートがポリ（ビニルブチラール）を含み；（Ｄ）前記追加のポリマーフィルムが、前記衝撃ゾーンとは反対側の表面を有し前記表面に接着されたハードコートを有するポリ（エチレンテレフタレート）フィルムである、上記１３に記載の安全積層体。
【手続補正２】
【補正対象書類名】特許請求の範囲
【補正対象項目名】全文
【補正方法】変更
【補正の内容】
【特許請求の範囲】
【請求項１】
１つ以上の剛性シート、１つ以上の別のポリマー中間層シート、または１つ以上のフィルム層に積層された少なくとも１つの中間層シートを含む安全積層体であって；前記少なくとも１つの中間層シートは、エチレンコポリマー組成物を含み；前記エチレンコポリマー組成物は、エチレンコポリマー１とエチレンコポリマー２とのブレンドを含み；
前記エチレンコポリマー１は、エチレンの共重合単位と、場合により最大約４０重量％の式ＣＨ2＝Ｃ（Ｒ1）ＣＯ2Ｒ2で表される第１のオレフィンの共重合単位と、約２〜約３０重量％の式ＣＨ2＝Ｃ（Ｒ3）ＣＯＯＨで表される第２のオレフィンの共重合単位とから本質的になり、前記第１のオレフィンおよび前記第２のオレフィンの共重合単位の重量パーセント値は、前記エチレンコポリマー１の全重量を基準としており；前記第２のオレフィンのカルボン酸基の少なくとも一部は中和されてカルボン酸塩を形成してもよく；Ｒ1は水素またはアルキル基を表し、Ｒ2はアルキル基を表し、Ｒ3は水素またはアルキル基を表し；
前記エチレンコポリマー２は、エチレンの共重合単位と、場合により最大約４０重量％の前記第１のオレフィンの共重合単位と、約３〜約１５重量％の式ＣＨ2＝Ｃ（Ｒ4）−Ｄで表される第３のオレフィンの共重合単位とから本質的になり、前記第１のオレフィンおよび前記第３のオレフィンの共重合単位の重量パーセント値は、前記エチレンコポリマー２の全重量を基準としており；Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基含有部分を表し、Ｒ6はアルキレン基を表し；
但し、エチレンコポリマー１とエチレンコポリマー２との前記ブレンド中、前記第１、第２、または第３のオレフィンはいずれも、ジカルボン酸、または前記ジカルボン酸のジエステル、モノエステル、および無水物ではない、安全積層体。